(57)【要約】【課題】低層部の平面形状がその上に構築された高層部よりも大きい建築物において、構造設計において省力化を図りながら、高層部の重量減少を伴うことなく、作用する地震力を軽減させることができる技術を提供する。【解決手段】低層部１０Ｌの平面形状がその上に構築された高層部１０Ｈよりも大きい建築物１０であって、低層部１０Ｌのスラブ１１Ｌの面密度が高層部１０Ｈのスラブ１１Ｈよりも小さく設定されて、低層部１０Ｌと高層部１０Ｈとの重量差が縮小されている。【選択図】図１
2020097825.tif 000002
【特許請求の範囲】
【請求項１】
低層部の平面形状がその上に構築された高層部よりも大きい建築物であって、
前記低層部のスラブの面密度が前記高層部のスラブよりも小さく設定されて、前記低層部と前記高層部との重量差が縮小されている建築物。
【請求項２】
前記低層部のスラブが、前記高層部のスラブを構成するコンクリートよりも比重が小さい軽量コンクリートで構成されている請求項１に記載の建築物。
【請求項３】
前記低層部のスラブの厚さが、前記高層部のスラブの厚さよりも小さく設定され、
前記低層部のスラブを支持する床小梁の配置ピッチが、前記高層部のスラブを支持する床小梁よりも狭く設定されている請求項１又は２に記載の建築物。
【発明の詳細な説明】
【技術分野】
【０００１】
本発明は、低層部の平面形状がその上に構築された高層部よりも大きい建築物に関する。
【背景技術】
【０００２】
商業用途等で利用される低層部の平面形状がその上に構築された住居用途等で利用される高層部よりも大きい建築物（例えば、特許文献１を参照。）が知られている。
【先行技術文献】
【特許文献】
【０００３】
【特許文献１】特開２０１７−１０１５１６号公報
【発明の概要】
【発明が解決しようとする課題】
【０００４】
このような建築物では、一般的に、比較的大きな平面形状を有する低層部の重量が、比較的小さな平面形状を有する高層部の重量よりも大きくなって、両者に重量差が生じる。このように低層部と高層部との重量差が大きくなると、当該重量差が小さい場合と比較して、高層部での地震層せん断力係数が大きくなるので、有効な室内空間の確保を犠牲にして、高層部の柱梁断面を大きくする必要が生じる場合がある。
【０００５】
更に、高層部において、重量を減少させて層せん断力係数を小さくすることができるが、高層部のスラブの厚さや比重の低下を伴うので、住居用途等で利用する場合の重量床衝撃音等の基準をクリアできなくなる虞がある。
また、低層部と高層部との重量差が大きくなると、各階に対して水平方向に作用する地震力（層せん断力）を求めることが複雑になり、構造設計に労力が必要となる。
【０００６】
この実情に鑑み、本発明の主たる課題は、低層部の平面形状がその上に構築された高層部よりも大きい建築物において、構造設計において省力化を図りながら、高層部の重量減少を伴うことなく、作用する地震力を軽減させることができる技術を提供する点にある。
【課題を解決するための手段】
【０００７】
本発明の第１特徴構成は、低層部の平面形状がその上に構築された高層部よりも大きい建築物であって、
前記低層部のスラブの面密度が前記高層部のスラブよりも小さく設定されて、前記低層部と前記高層部との重量差が縮小されている点にある。
【０００８】
本構成によれば、主に住居用途で利用される高層部のスラブの面密度を重量床衝撃音等の基準をクリア可能な程度に維持しながら、主に商業用途で利用される低層部のスラブの面密度を高層部のスラブよりも小さく設定すれば、建物重量の削減による各階層に作用する地震力の低減に加えて、低層部と高層部との境界部分における振動特性の急な変化に起因する高層部側での地震力の増加を抑制することができ、例えば高層部において柱梁断面をできるだけ小さくして有効な室内区間を確保することができる。
更に、低層部に構築されたスラブの面密度（単位平面積当りの重量）が、高層部に構築されたスラブよりも小さく設定されているので、低層部の平面形状がその上に構築された高層部よりも大きい場合であっても、低層部と高層部との重量差を小さくすることができる。このことで、各階層に対して水平方向に作用する地震力を簡単に求めることができ、構造設計での省人化を図ることができる。
従って、本発明により、低層部の平面形状がその上に構築された高層部よりも大きい建築物において、構造設計において省力化を図りながら、高層部の重量減少を伴うことなく、作用する地震力を軽減させることができる技術を提供することができる。
【０００９】
本発明の第２特徴構成は、前記低層部のスラブが、前記高層部のスラブを構成するコンクリートよりも比重が小さい軽量コンクリートで構成されている点にある。
【００１０】
本構成によれば、低層部のスラブが軽量コンクリートで構成されているので、当該低層部のスラブの厚さを高層部と同等としながらも、当該低層部のスラブの面密度を高層部のスラブよりも小さく設定することができる。
【００１１】
本発明の第３特徴構成は、前記低層部のスラブの厚さが、前記高層部のスラブの厚さよりも小さく設定され、
前記低層部のスラブを支持する床小梁の配置ピッチが、前記高層部のスラブを支持する床小梁よりも狭く設定されている点にある。
【００１２】
本構成によれば、低層部における床小梁の配置ピッチが高層部における床小梁よりも狭く設定されているので、低層部のスラブの薄厚化による面密度の低下に伴って強度低下が懸念される場合であっても、狭い配置ピッチで配置される床小梁により低層部のスラブを支持して、当該低層部のスラブの強度不足を補うことができる。
【図面の簡単な説明】
【００１３】
【図１】第１実施形態の建築物の立断面図
【図２】第２実施形態の建築物の立断面図
【発明を実施するための形態】
【００１４】
〔第１実施形態〕
本発明に係る建築物の第１実施形態について、図１に基づいて説明する。
図１に示す第１実施形態の建築物１０は、主に商業用途で利用される１階部分から３階部分までの低層部１０Ｌと、当該低層部１０Ｌの上に構築されて主に集合住宅用途で利用される４階部分から７階部分までの高層部１０Ｈとを有する鉄筋コンクリート造の建築物として構成されている。尚、低層部１０Ｌ及び高層部１０Ｈ並びに建築物１０の階数や用途については、特に限定されるものではない。
また、以下の説明において、低層部１０Ｌを構成する各階において上階部分との境界にあるスラブを低層部１０Ｌのスラブ１１Ｌとよび、高層部１０Ｈを構成する各階において上階部分との境界にあるスラブを高層部１０Ｈのスラブ１１Ｈとよぶ。
【００１５】
この建築物１０は、低層部１０Ｌの平面形状がその上に構築された高層部１０Ｈよりも大きいものとして構成されている。このような建築物１０では、一般的に、比較的大きな平面形状を有する低層部１０Ｌの各階の重量が、比較的小さな平面形状を有する高層部１０Ｈの各階の重量よりも大きくなる傾向にある。このような低層部１０Ｌと高層部１０Ｈとの重量差が大きくなると、当該重量差が小さい場合よりも高層部１０Ｈでの地震層せん断力係数が大きくなるので、例えば高層部１０Ｈの柱梁断面を大きるなどの対応が必要となる。また、上記重量差が大きくなると、建築物１０の各階に対して水平方向に作用する地震力（層せん断力）を求めることが複雑になり、構造設計に労力が必要となる。
また、高層部１０Ｈに作用する地震力を減少させるために、当該高層部１０Ｈの重量を減少させて層せん断力係数を小さくする場合には、高層部１０Ｈのスラブ１１Ｈの厚さや比重の低下を伴うので、住居用途等で利用する場合の重量床衝撃音等の基準をクリアできなくなる虞がある。
【００１６】
そこで、本実施形態の建築物１０は、比較的大きな平面形状を有する低層部１０Ｌのスラブ１１Ｌの面密度が比較的小さな平面形状を有する高層部１０Ｈのスラブ１１Ｈよりも小さく設定されている。よって、上述したような低層部１０Ｌと高層部１０Ｈとの重量差が縮小されている。尚、本願において、スラブの面密度とは、スラブの重量をスラブの平面積（平面視での投影面積）で除した値をいう。
更に、低層部１０Ｌと高層部１０Ｈとの重量差の大きさについては、当該重量差を略無くして低層部１０Ｌの各階の重量と高層部１０Ｈの各階の重量とを略同等とすることが好ましいが、耐震設計上許容できる範囲内で当該重量差が縮小されていると良い。
【００１７】
高層部１０Ｈのスラブ１１Ｈの面密度については、重量床衝撃音等の基準をクリア可能な程度に維持されており、その状態を維持しつつ低層部１０Ｌのスラブ１１Ｌの面密度が高層部１０Ｈのスラブ１１Ｈよりも小さく設定されている。このことで、建築物１０の重量が削減されて、各階層に作用する地震力が低減される。加えて、低層部１０Ｌと高層部１０Ｈとの境界部分における振動特性の急な変化に起因する高層部１０Ｈ側での地震力の増加が抑制される。このように高層部１０Ｈでの地震力の増加が抑制されれば、例えば高層部１０Ｈにおいて柱梁断面をできるだけ小さくして有効な室内区間を確保することができる。
【００１８】
低層部１０Ｌのスラブ１１Ｌの面密度については、高層部１０Ｈのスラブ１１Ｈよりも小さく設定されている。よって、本実施形態の建築物１０のように、低層部１０Ｌの平面形状がその上に構築された高層部１０Ｈよりも大きい場合でも、低層部１０Ｌと高層部１０Ｈとの重量差が小さくなる。よって、各階層に対して水平方向に作用する地震力の算出を簡素化して構造設計での省人化を図ることができる、
【００１９】
更に、本実施形態の建築物１０では、低層部１０Ｌのスラブ１１Ｌの面密度を高層部１０Ｈのスラブ１１Ｈよりも小さく設定するための具体的な手段として、低層部１０Ｌのスラブ１１Ｌが高層部１０Ｈのスラブ１１Ｈを構成する普通コンクリートよりも比重が小さい軽量コンクリートで構成されている。
この構成により、低層部１０Ｌのスラブ１１Ｌの厚さを高層部１０Ｈのスラブ１１Ｈの厚さと同等のものとしながらも、低層部１０Ｌのスラブ１１Ｌの面密度が高層部１０Ｈのスラブ１１Ｈの面密度よりも小さく設定されている。
【００２０】
〔第２実施形態〕
本発明に係る建築物の第２実施形態について、図２に基づいて説明する。
尚、上記第１実施形態と同様の構成については、説明を割愛する場合がある。
図２に示す第２実施形態の建築物２０は、上記第１実施形態と同様に、平面形状が比較的大きな低層部２０Ｌと平面形状が比較的小さな高層部２０Ｈとを有する鉄筋コンクリート造の建築物として構成されており、更には、低層部２０Ｌのスラブ２１Ｌの面密度が高層部２０Ｈのスラブ２１Ｈよりも小さく設定されて、低層部２０Ｌと高層部２０Ｈとの重量差が縮小されている。
【００２１】
更に、本実施形態の建築物２０では、低層部２０Ｌのスラブ２１Ｌの面密度を高層部２０Ｈのスラブ２１Ｈよりも小さく設定するための具体的な手段として、低層部２０Ｌのスラブ２１Ｌの厚さが、高層部２０Ｈのスラブ２１Ｈの厚さよりも小さく設定されている。
更に、低層部２０Ｌのスラブ２１Ｌの薄厚化による強度不足を回避するべく、低層部２０Ｌのスラブ２１Ｌを支持する床小梁２２Ｌの配置ピッチが、高層部２０Ｈのスラブ２１Ｈを支持する床小梁２２Ｈの配置ピッチよりも狭く設定されている。具体的に、本実施形態を示す図２では、低層部２０Ｌにおいては柱間の１スパンに２つの床小梁２２Ｌを比較的狭い配置ピッチで分配配置しており、一方、高層部２０Ｈにおいては柱間の１スパンに１つの床小梁２２Ｈを比較的広い配置ピッチで配置している。
尚、低層部２０Ｌでの床小梁２２Ｌの配置数及び配置ピッチ、及び、高層部２０Ｈでの梁小梁２２Ｈの配置数及び配置ピッチについては、低層部２０Ｌでの床小梁２２Ｌの配置ピッチが高層部２０Ｈでの梁小梁２２Ｈの配置ピッチよりも狭いという条件下において適宜変更可能であり、例えば高層部２０Ｈでの梁小梁２２Ｈを省略することもできる。また、上記低層部２０Ｌのスラブ２１Ｌの強度に問題ない範囲内において、低層部２０Ｌの床小梁２２Ｌの配置ピッチを高層部２０Ｈの床小梁２２Ｈの配置ピッチと同等のものに設定しても構わない。
【００２２】
〔別実施形態〕
本発明の他の実施形態について説明する。尚、以下に説明する各実施形態の構成は、それぞれ単独で適用することに限らず、他の実施形態の構成と組み合わせて適用することも可能である。
【００２３】
（１）上記実施形態では、建築物１０，２０において低層部１０Ｌ、２０Ｌと高層部１０Ｈ，２０Ｈとを鉄筋コンクリート造としたが、本発明はその構成に限定されるものではない。例えば、低層部１０Ｌ、２０Ｌを鉄骨鉄筋コンクリート造とし、高層部１０Ｈ，２０Ｈを鉄筋コンクリート造とするなどように、低層部１０Ｌ、２０Ｌと高層部１０Ｈ，２０Ｈとの夫々を別の構造としても構わない。
【００２４】
（２）低層部２０Ｌのスラブ２１Ｌの面密度を高層部２０Ｈのスラブ２１Ｈよりも小さく設定するための具体的な手段として、上記第１実施形態では、高層部１０Ｈのスラブ１１Ｈを構成する普通コンクリートよりも比重が小さい軽量コンクリートで低層部１０Ｌのスラブ１１Ｌを構成するあという手段を採用し、上記第２実施形態では、低層部２０Ｌのスラブ２１Ｌの厚さを高層部２０Ｈのスラブ２１Ｈの厚さよりも小さく設定するという手段を採用したが、本発明はその構成に限定されるものではなく、例えば、これらの手段を組み合わせた構成を採用しても構わない。
【符号の説明】
【００２５】
１０      建築物
１０Ｈ    高層部
１０Ｌ    低層部
１１Ｈ    スラブ
１１Ｌ    スラブ
２０      建築物
２０Ｈ    高層部
２０Ｌ    低層部
２１Ｈ    スラブ
２１Ｌ    スラブ
２２Ｌ    床小梁
【図１】
2020097825.tif 000003
【図２】
2020097825.tif 000004